(57)【特許請求の範囲】
【請求項１】
前面側にモイスチャー液等充填容器の蓋付装填室を設け、背面側に支持枠を立設した基台と、上部カバーとからなり、基台の底部の給水口と後記第１フィルターカートリッジの流入口とを結ぶ通水路と、後記第１フィルターカートリッジの流出口と後記第２フィルターカートリッジの流入口とを結ぶ通水路と、後記第２フィルターカートリッジの流出口と後記切替コック付分岐管とを結ぶ通水路とを設けてなる本体ケースと、前記本体ケースにおける基台上に立てた状態で着脱自在にセットする、底部に流入口と流出口を設けると共に内部に繊維状活性炭を充填した筒状の第１フィルターカートリッジと、底部に流入口と流出口を設けると共に、内部に麦飯石セラミックス、珊瑚セラミックス、チタンボール、磁石、ハードセラミックス、遠赤外線セラミックス、マイナスイオンセラミックス、トルマリンセラミックス等を適宜組み合せて積層して充填した筒状の第２フィルターカートリッジとからなる一対のフィルターカートリッジと、前記本体ケースにおける支持枠の上部に取り付けた切替コック付分岐管と、前記切替コック付分岐管のシャワー側への流出口に接続する、流入した温水にモイスチャー液等を混合し、シャワーヘッドへの接続ホースへ流出する混合器と、前記本体ケースにおけるモイスチャー液等充填容器の蓋付装填室に装填する、肌や髪にしっとりとした、やわらかい潤いを与える成分を含んだモイスチャー液、又はアロマテラピーのための花や薬草に含まれる芳香物質を充填した充填容器と、前記本体ケースにおけるモイスチャー液等充填容器の蓋付装填室に装填したモイスチャー液等充填容器内の内容物を吸引し、前記混合器に送出する給送ポンプとからなる浄水器であって、第１フィルターカートリッジと第２フィルターカートリッジとを、底部の外縁に流入口を設ける一方、中心部に流出口を設けると共に該流出口から垂直に通水筒を立ち上がらせ、該通水筒の上部の通水口から該通水筒内に温水が流入するようになした構成とし、更に、第２フィルターカートリッジを、仕切り板をもって高さ方向の中央部を仕切り、該第２フィルターカートリッジにおける該仕切り板によって形成された下部の大きな室に、麦飯石セラミックス、珊瑚セラミックス、チタンボール、磁石、ハードセラミックス、遠赤外線セラミックス、マイナスイオンセラミックス等を適宜組み合わせて積層して充填し、該仕切り板に複数の通水小孔を設けると共に該通水小孔から垂直に通水筒を立ち上がらせてその内部に球状にしたトルマリンセラミックスを多数移動自在に充填し、該通水筒の上部の通水口から流出口から立ち上がった通水筒内に温水が流入するようになした浄水器。
【請求項２】
前面側にモイスチャー液等充填容器の蓋付装填室を設け、背面側に支持枠を立設した基台と、上部カバーとからなり、基台の底部の給水口と後記第１フィルターカートリッジの流入口とを結ぶ通水路と、後記第１フィルターカートリッジの流出口と後記第２フィルターカートリッジの流入口とを結ぶ通水路と、後記第２フィルターカートリッジの流出口と後記切替コック付分岐管とを結ぶ通水路とを設けてなる本体ケースと、前記本体ケースにおける基台上に立てた状態で着脱自在にセットする、底部に流入口と流出口を設けると共に内部に繊維状活性炭を充填した筒状の第１フィルターカートリッジと、底部に流入口と流出口を設けると共に、内部に麦飯石セラミックス、珊瑚セラミックス、チタンボール、磁石、ハードセラミックス、遠赤外線セラミックス、マイナスイオンセラミックス、トルマリンセラミックス等を適宜組み合せて積層して充填した筒状の第２フィルターカートリッジとからなる一対のフィルターカートリッジと、前記本体ケースにおける支持枠の上部に取り付けた切替コック付分岐管と、前記切替コック付分岐管のシャワー側への流出口に接続する、流入した温水にモイスチャー液等を混合し、シャワーヘッドへの接続ホースへ流出する混合器と、前記本体ケースにおけるモイスチャー液等充填容器の蓋付装填室に装填する、肌や髪にしっとりとした、やわらかい潤いを与える成分を含んだモイスチャー液、又はアロマテラピーのための花や薬草に含まれる芳香物質を充填した充填容器と、前記本体ケースにおけるモイスチャー液等充填容器の蓋付装填室に装填したモイスチャー液等充填容器内の内容物を吸引し、前記混合器に送出する給送ポンプとからなる浄水器であって、第１フィルターカートリッジと第２フィルターカートリッジにおける流入口と流出口を筒状とし、本体ケースに設けた通水路に差し込んで密に嵌合するようになし、更に第１フィルターカートリッジと第２フィルターカートリッジの外周に垂直方向のガイド突条を設ける一方、本体ケースにおける支持枠の前面板に前記ガイド突条を案内する垂直方向のガイド溝を設け、更に第１フィルターカートリッジと第２フィルターカートリッジを外すとき、本体ケースにおける基台の上面に前後方向にスライド自在に設け、第１フィルターカートリッジと第２フィルターカートリッジの下に配置した摺動板を手前に引っ張ることによりこれらを夫々浮き上がらせてその流入口と流出口の嵌合状態を解除するようになした離脱手段を設けてなる浄水器。
【請求項３】
前面側にモイスチャー液等充填容器の蓋付装填室を設け、背面側に支持枠を立設した基台と、上部カバーとからなり、基台の底部の給水口と後記第１フィルターカートリッジの流入口とを結ぶ通水路と、後記第１フィルターカートリッジの流出口と後記第２フィルターカートリッジの流入口とを結ぶ通水路と、後記第２フィルターカートリッジの流出口と後記切替コック付分岐管とを結ぶ通水路とを設けてなる本体ケースと、前記本体ケースにおける基台上に立てた状態で着脱自在にセットする、底部に流入口と流出口を設けると共に内部に繊維状活性炭を充填した筒状の第１フィルターカートリッジと、底部に流入口と流出口を設けると共に、内部に麦飯石セラミックス、珊瑚セラミックス、チタンボール、磁石、ハードセラミックス、遠赤外線セラミックス、マイナスイオンセラミックス、トルマリンセラミックス等を適宜組み合せて積層して充填した筒状の第２フィルターカートリッジとからなる一対のフィルターカートリッジと、前記本体ケースにおける支持枠の上部に取り付けた切替コック付分岐管と、前記切替コック付分岐管のシャワー側への流出口に接続する、流入した温水にモイスチャー液等を混合し、シャワーヘッドへの接続ホースへ流出する混合器と、前記本体ケースにおけるモイスチャー液等充填容器の蓋付装填室に装填する、肌や髪にしっとりとした、やわらかい潤いを与える成分を含んだモイスチャー液、又はアロマテラピーのための花や薬草に含まれる芳香物質を充填した充填容器と、前記本体ケースにおけるモイスチャー液等充填容器の蓋付装填室に装填したモイスチャー液等充填容器内の内容物を吸引し、前記混合器に送出する給送ポンプとからなる浄水器であって、第１フィルターカートリッジと第２フィルターカートリッジとを、底部の外縁に流入口を設ける一方、中心部に流出口を設けると共に該流出口から垂直に通水筒を立ち上がらせ、該通水筒の上部の通水口から該通水筒内に温水が流入するようになした構成とし、更に、第２フィルターカートリッジを、仕切り板をもって高さ方向の中央部を仕切り、該第２フィルターカートリッジにおける該仕切り板によって形成された下部の大きな室に、麦飯石セラミックス、珊瑚セラミックス、チタンボール、磁石、ハードセラミックス、遠赤外線セラミックス、マイナスイオンセラミックス等を適宜組み合わせて積層して充填し、該仕切り板に複数の通水小孔を設けると共に該通水小孔から垂直に通水筒を立ち上がらせてその内部に球状にしたトルマリンセラミックスを多数移動自在に充填し、該通水筒の上部の通水口から流出口から立ち上がった通水筒内に温水が流入するようになし、更に第１フィルターカートリッジと第２フィルターカートリッジにおける流入口と流出口を筒状とし、本体ケースに設けた通水路に差し込んで密に嵌合するようになし、更に第１フィルターカートリッジと第２フィルターカートリッジの外周に垂直方向のガイド突条を設ける一方、本体ケースにおける支持枠の前面板に前記ガイド突条を案内する垂直方向のガイド溝を設け、更に第１フィルターカートリッジと第２フィルターカートリッジを外すとき、本体ケースにおける基台の上面に前後方向にスライド自在に設け、第１フィルターカートリッジと第２フィルターカートリッジの下に配置した摺動板を手前に引っ張ることによりこれらを夫々浮き上がらせてその流入口と流出口の嵌合状態を解除するようになした離脱手段を設けてなる浄水器。
【発明の詳細な説明】
【０００１】
【発明の属する技術分野】
本発明は浄水器に関し、更に詳細には浴室内にセットし、混合栓の温水送出口に接続して、浄化した温水を浴槽とシャワーとに分岐して送出するようになした浄水器に係わる。
【０００２】
【従来の技術】
従来、種々の浄水器が案出され、実用化されている。しかし、従来の浄水器は、いずれも水道水を浄化し、飲料水として飲み易く、おいしくすることが目的であった。
【０００３】
ところで、入浴は血行を促進し、新陳代謝を活発にして心身をリフレッシュする効用を有することは良く知られている。そしてまた、最近は美容や健康指向の高まりによりエステティックサロンやアロマテラピーの流行をもたらしている。
【０００４】
【発明が解決しようとする課題】
そこで、本発明者は、自宅に居ながらにして手軽に実施でき、シャワーを浴びる都度、モイスチャー効果、即ち肌や髪にしっとりとした、やわらかい潤いを与えたり、花や薬草に含まれる芳香物質をかいだり、肌にすりこんだりして健康づくりを行うアロマテラピーを行うことができ、更には温泉に入ったと同様の効用、即ち血行を良くして人体の機能を活性化したり、気分をリラックスさせたり、肌をきれいにする等の効用をもたらすことができるようにするにはどのようにしたらよいかという観点から研究を行ってきた。
【０００５】
そしてその結果、従来の浄水器をそのまま用いたのでは斯かる点を実現することは不可能であり、斯かる点を実現するための特別の構成を工夫して本発明を完成するに至ったものである。
【０００６】
【課題を解決するための手段】
而して、本発明の要旨とするところは、前面側にモイスチャー液等充填容器の蓋付装填室を設け、背面側に支持枠を立設した基台と、上部カバーとからなり、基台の底部の給水口と後記第１フィルターカートリッジの流入口とを結ぶ通水路と、後記第１フィルターカートリッジの流出口と後記第２フィルターカートリッジの流入口とを結ぶ通水路と、後記第２フィルターカートリッジの流出口と後記切替コック付分岐管とを結ぶ通水路とを設けてなる本体ケースと、前記本体ケースにおける基台上に着脱自在にセットする、底部に流入口と流出口を設けると共に内部に繊維状活性炭を充填した筒状の第１フィルターカートリッジと、底部に流入口と流出口を設けると共に、内部に麦飯石セラミックス、珊瑚セラミックス、チタンボール、磁石、ハードセラミックス、遠赤外線セラミックス、マイナスイオンセラミックス、トルマリンセラミックス等を適宜組み合せて積層して充填した筒状の第２フィルターカートリッジとからなる一対のフィルターカートリッジと、前記本体ケースにおける支持枠の上部に取り付けた切替コック付分岐管と、前記切替コック付分岐管のシャワー側への流出口に接続する、流入した温水にモイスチャー液等を混合し、シャワーヘッドへの接続ホースへ流出する混合器と、前記本体ケースにおけるモイスチャー液等充填容器の蓋付装填室に装填する、肌や髪にしっとりとした、やわらかい潤いを与える成分を含んだモイスチャー液、又はアロマテラピーのための花や薬草に含まれる芳香物質を充填した充填容器と、前記本体ケースにおけるモイスチャー液等充填容器の蓋付装填室に装填したモイスチャー液等充填容器内の内容物を吸引し、前記混合器に送出する給送ポンプとからなる浄水器にある。
【０００７】
また、上記構成において、第１フィルターカートリッジと第２フィルターカートリッジとを、底部の外縁に流入口を設ける一方、中心部に流出口を設けると共に該流出口から垂直に通水筒を立ち上がらせ、該通水筒の上部の通水口から該通水筒内に温水が流入するようになした構成とし、更に、第２フィルターカートリッジを、仕切板をもって高さ方向の中央部を仕切り、該仕切板に複数の通水孔を設けると共に該通水孔から垂直に通水筒を立ち上がらせてその内部に球状にしたトルマリンセラミックスを多数移動自在に充填し、該通水筒の上部の通水口から流出口から立ち上がった通水筒内に温水が流入するようになしてもい。
【０００８】
更にまた、上記構成において、第１フィルターカートリッジと第２フィルターカートリッジにおける流入口と流出口を筒状とし、本体ケースに設けた通水路に差し込んで嵌合するようになし、更に第１フィルターカートリッジと第２フィルターカートリッジの外周に垂直方向のガイド突条を設ける一方、本体ケースにおける支持枠の前面板に前記ガイド突条を案内する垂直方向のガイド溝を設け、更に第１フィルターカートリッジと第２フィルターカートリッジを外すとき、本体ケースにおける基台の上面に前後方向にスライド自在に設け、第１フィルターカートリッジと第２フィルターカートリッジの下に配置した摺動板を手前に引っ張ることによりこれらを夫々浮き上がらせてその流入口と流出口の嵌合状態を解除するようになした離脱手段を設けるようになしてもよい。
【０００９】
【発明の実施の形態】
以下、本発明の実施の形態について図面を参照しつつ説明する。
図１は斜視図、図２は上部カバーを外した状態の部分拡大斜視図、図３は内部機構を併せて表した正面図、図４は内部機構を併せて表した側面図、図５は内部機構を併せて表した平面図、図６は混合器の拡大断面図、図７は第１フィルターカートリッジの中央縦断面図、図８は第１フィルターカートリッジの平面図、図９は第２フィルターカートリッジの中央縦断面図、図１０は第２フィルターカートリッジの平面図、図１１は第１フィルターカートリッジの底部と本体ケースにおける基台上面との部分拡大断面図、図１２は摺動板の平面図、図１３は摺動板の底面図、図１４は本発明の設置説明図である。
【００１０】
図中、１は本体ケースである。また、該本体ケース１は、前面側にモイスチャー液等充填容器の蓋付装填室２を設け、背面側に支持枠３を立設した基台４と、上部カバー５とからなる。また、該本体ケース１には、基台４の底部の給水口６と後記第１フィルターカートリッジの流入口とを結ぶ通水路７と、後記第１フィルターカートリッジの流出口と後記第２フィルターカートリッジの流入口とを結ぶ通水路８と、後記第２フィルターカートリッジの流出口と後記切替コック付分岐管とを結ぶ通水路９とを設けている。
【００１１】
また、本実施形態では、前記モイスチャー液等充填容器の蓋付装填室２の蓋２ａに水温計１０を取り付けている。また、モイスチャー液等充填容器の蓋付装填室２内には、操作レバー１１を垂直に上側に回動すると、これに連結した回転軸１２が回転し、該回転軸１２に固着した複数のカム板１３，１３が垂直方向に回動して、モイスチャー液等充填容器を装填したときにその底部を押し上げるようになした押し上げ手段が設けられている。また、該カム板１３，１３等の上部には上部と前部が開放した保持枠１４が設けられている。そして更にまた、斯かる手段の上方には、モイスチャー液等充填容器の口部を嵌合する、後記給送ポンプに接続された吸引部１５が設けられている。
【００１２】
１６はモイスチャー液等充填容器であり、前記モイスチャー液等充填容器の蓋付装填室２内に装填するものである。また、該モイスチャー液等充填容器１６は、肌や髪にしっとりとした、やわらかい潤いを与える成分を含んだモイスチャー液、又はアロマテラピーのための花や薬草に含まれる芳香物質を充填しており、内部には口部から底部に至る吸引パイプ（図示せず。）を備えている。
【００１３】
１７は給送ポンプであり、前記本体ケース１におけるモイスチャー液等充填容器の蓋付装填室２に装填したモイスチャー液等充填容器１６内の内容物を吸引し、後記混合器に送出するものである。また、該給送ポンプ１７は、本実施形態では公知のアトマイザーと同様のものを用いており、１７ａは前記吸引部１５に接続されたパイプ、１７ｂは後記混合器に接続されたパイプ、１７ｃは上端部から垂直に軸杆１７ｄを立ち上げ、該軸杆１７ｄの前記本体ケース１の支持枠３の上面から突出する頂部に摘み１７ｅを設けた押圧操作部材である。
【００１４】
１８は筒状の第１フィルターカートリッジである。また、該第１フィルターカートリッジ１８は、本体ケース１における基台４上に立てた状態で着脱自在にセットするものであり、底部に流入口１９と流出口２０を設けると共に内部に繊維状活性炭２１を充填してなるものである。
【００１５】
また、該第１フィルターカートリッジ１８は、流入口１９を底部の外縁に設ける一方、流出口２０を中心部に設けると共に該流出口２０から垂直に通水筒２２を立ちあがらせ、該通水筒２２の上部の通水口２３から該通水筒２２内に温水が流入するようになしている。そしてまた、流入口１９と流出口２０は筒状とし、本体ケース１に設けた通水路７，８に夫々差し込んで密に嵌合するようになしている。尚、該筒状とした流入口１９と流出口２０の先端にはシールリング２４，２５が外嵌されている。更にまた、該第１フィルターカートリッジ１８の外周には垂直方向のガイド突条２６を複数設けており、セットするときには、該ガイド突条２６を本体ケース１における支持枠３の前面板３ａに設けた垂直方向のガイド溝２７に差し込んでスライドさせるものである。
【００１６】
２８は筒状の第２フィルターカートリッジであり、前記第１フィルターカートリッジ１８とをもって一対のフィルターカートリッジとなすものである。また、該第２フィルターカートリッジ２８は、前記第１フィルターカートリッジ１８と略同様の構成であるが、内部の構成と充填する部材において若干相違している。
【００１７】
即ち、該第２フィルターカートリッジ２８は、底部に流入口２９と流出口３０を設けると共に、内部に麦飯石セラミックス３１、珊瑚セラミックス３２、チタンボール３３、磁石３４、ハードセラミックス３５、遠赤外線セラミックス３６、マイナスイオンセラミックス３７、トルマリンセラミックス３８等を適宜組み合せて積層して充填している。
【００１８】
また、前記第１フィルターカートリッジ１８と同様に、流入口２９を底部の外縁に設ける一方、流出口３０を中心部に設けると共に該流出口３０から垂直に通水筒３９を立ち上がらせ、該通水筒３９の上部の通水口４０から該通水筒３９内に温水が流入するようになしている。そしてまた、流入口２９と流出口３０は筒状とし、本体ケース１に設けた通水路８，９に夫々差し込んで密に嵌合するようにしている。尚、該筒状とした流入口２９と流出口３０の先端にはシールリング４１，４２が外嵌されている。更にまた、該第２フィルターカートリッジ２８の外周には垂直方向のガイド突条（図示せず。）を複数設けており、セットするときには、該ガイド突条を本体ケース１における支持枠３の前面板３ａに設けた垂直方向のガイド溝４３に差し込んでスライドさせるものである。
【００１９】
更にまた、該第２フィルターカートリッジ２８は、仕切り板４４をもって高さ方向の中央部を仕切り、該第２フィルターカートリッジ２８における該仕切り板４４によって形成された下部の大きな室に、麦飯石セラミックス３１、珊瑚セラミックス３２、チタンボール３３、磁石３４、ハードセラミックス３５、遠赤外線セラミックス３６、マイナスイオンセラミックス３７等を適宜組み合わせて積層して充填し、該仕切り板４４に複数（本実施形態では３個）の通水小孔４５を設けると共に該通水小孔４５から垂直に通水筒４６を立ち上がらせてその内部に球状にした前記トルマリンセラミックス３８を多数移動自在に充填している。そしてまた、該通水筒４６の上部の通水口４７から前記流出口３０から立ち上がった通水筒３９内に温水が流入するようにしている。
【００２０】
このようになした場合には、流入口２９から流入した温水は仕切り板４４によって形成された下部の大きな室においてゆっくりと流れ、そして仕切り板４４に設けた通水小孔４５によって急激に狭められるから、通水筒４６内を通過するときに流速が相当高められることになる。そしてこれにより通水筒４６内に充填した多数の球状にしたトルマリンセラミックス３８同志が移動して激しくぶつかり合うことになる。この結果、マイナスイオンが発生すると共に酸化還元電位が下がることになる。尚、酸化還元電位は、通常は６００ミリボルトであるが、２００ミリボルト位まで下がる。そしてこれらの結果、温水が肌に触れると体内のコレステロールの凝固や血管への付着を防いだり、体液を弱アルカリ性に調整したり、気分をリラックスさせたりすることが可能となるものであり、加えて水を腐りにくくすることができると共に、浴槽や洗面器等が汚れにくくなり、更に垢を浮かなくすることができるものである。
【００２１】
４７は前記本体ケース１における支持枠３の上部に取り付けた切替コック付分岐管であり、４８は切替コック、４９は浴槽側への流出口、５０はシャワー側への流出口である。
【００２２】
５１は前記切替コック付分岐管４７のシャワー側への流出口５０に接続する、流入した温水にモイスチャー液等を混合し、シャワーヘッドへの接続ホースへ流出する混合器である。また、該混合器５１は、本体５２内に混合室５３を設け、該混合室５３に対して横方向から温水が流入するように流入口５４を設ける一方、該混合室５３の上下に夫々、温水の流入方向と直交するように流出口５５と、モイスチャー液等の流入口５６とを設けてなるものである。
【００２３】
５７，５８は前記第１フィルターカートリッジ１８と第２フィルターカートリッジ２８を一旦セットし、その後例えば交換等のために取り外すときに、ワンタッチで容易に夫々の流入口と流出口の差し込み嵌合状態を解除することができるようになした離脱手段である。
【００２４】
また、該離脱手段５７，５８は同一の構成であるから、ここでは一方の離脱手段５７についてのみ説明する。而して、該離脱手段５７は、本体ケース１における基台４の上面に、後記摺動板が前後方向にスライドすることができるように設けたガイド枠５９，６０と、該ガイド枠５９，６０によって前後方向にスライド自在に保持され、後部側の側面に一体的に突き上げ片６１ａを設けた摺動板６１と、前記一方のガイド枠５９に前後方向に沿って設けた細長い切欠部６２と、前記第１フィルターカートリッジ１８の底部に前後方向に沿って設けた、前記細長い切欠部６２に入り込む所要の高さの三角状の突起部６３とからなるものである。そしてまた、前記ガイド枠５９には、本体ケース１に設けた通水路７と一致する箇所に、第１フィルターカートリッジ１８の底部に設けた筒状の流入口１９の差込孔６４を設け、また前記摺動板６１には、前端部に指掛け部６１ｂを設けると共に、奥までスライドさせた状態において、長さ方向の略中央部における本体ケース１に設けた通水路８と一致する箇所に第１フィルターカートリッジ１８の底部に設けた筒状の流出口２０の差込孔６５を設け、更に該筒状の流出口２０の差込孔６５から後方側にかけて長孔６６を連成している。
【００２５】
而して、第１フィルターカートリッジ１８を取り外すときには、摺動板６１を手前に引っ張って引き出せばよく、これにより図１１に示す如く、第１フィルターカートリッジ１８の底部に設けた三角状の突起部６３は、ガイド枠５９の細長い切欠部６２内において摺動板６１の突き上げ片６１ａに乗り上がることによって押し上げられる。そしてこれにより第１フィルターカートリッジ１８は浮き上がってその流入口１９と流出口２０の嵌合状態が解除されるものである。
【００２６】
次に、上記実施形態の作用について説明する．
本浄水器は、図１４に示す如く、溶室６７における浴槽６８の角部に設置するものであり、本体ケース１の給水口６をホース６９をもって混合栓７０の温水送出口（図示せず。）に接続するものである。また、７１は切替コック付分岐管４７の浴槽側への流出口４９に接続したホース、７２は混合器５１の流出口５５に接続したホースである。尚、７３はシャワーヘッドである。
【００２７】
而して、本体ケース１の給水口６から送給された温水は、通水路７を通って第１フィルターカートリッジ１８の流入口１９から該第１フィルターカートリッジ１８内に入り、更にその流出口２０から出た温水は通水路８を通って第２フィルターカートリッジ２８の流入口２９から該第２フィルターカートリッジ２８内に入る。そして更に該第２フィルターカートリッジ２８から出た温水は通水路９を通って切替コック付分岐管４７に送られる。そしてここで分岐して、浴槽とシャワーとに切り替えて送出されるものである。
【００２８】
そして、切替コック付分岐管４７をシャワー側に切り替えたときにおいて、摘み１７ｅを押し下げて給送ポンプ１７を作動させると、充填容器１６内の内容物が吸い出されて混合器５１内の混合室５３に注入されるものである。これにより該混合室５３内における乱流によって温水にモイスチャー液等が攪拌混合され、シャワーヘッド７３に送出されるものである。
【００２９】
また、第１フィルターカートリッジ１８と第２フィルターカートリッジ２８の着脱は、次の通りである。セットするときには、先ず上部カバー５を外し、これら第１フィルターカートリッジ１８と第２フィルターカートリッジ２８を夫々本体ケース１の基台上にセットするものである。そしてこのときにはこれらのフィルターカートリッジの外周に設けたガイド突条２６と、本体ケース１の支持枠３の前面板３ａに設けたガイド溝２７によってスムーズに所定の位置にセットすることができるものである。また、外すときには、摺動板６１を手前に引っ張ればフィルターカートリッジの流入口と流出口が簡単に抜け、容易に離脱させることができるものである。
【００３０】
【発明の効果】
本発明は上記の如き構成、作用であるから、自宅に居ながらにして手軽に実施でき、シャワーを浴びる都度、モイスチャー効果、即ち肌や髪にしっとりとした、やわらかい潤いを与えたり、花や薬草に含まれる芳香物質をかいだり、肌にすりこんだりして健康づくりを行うアロマテラピーを行うことができ、更には温泉に入ったと同様の効用、即ち血行を良くして人体の機能を活性化したり、肌をきれいにする等の効用をもたらすことができるものである。
【００３１】
また、温水が肌に触れることにより体内のコレステロールの凝固や血管への付着を防いだり、体液を弱アルカリ性に調整したり、気分をリラックスさせたりすることが可能となり、加えて水を腐りにくくすることができると共に、浴槽や洗面器等が汚れにくくなり、更に垢を浮かなくすることもできるものである。
【００３２】
また、請求項２又は請求項３の構成とした場合には、上記効果に加えて、第１フィルターカートリッジと第２フィルターカートリッジの着脱が容易となり、セットをスムーズに行うことができると共に、離脱するときも力を要さずスムーズに行うことができるものである。
【図面の簡単な説明】
【図１】本発明の斜視図である。
【図２】上部カバーを外した状態の部分拡大斜視図である。
【図３】内部機構を併せて表した正面図である。
【図４】内部機構を併せて表した側面図である。
【図５】内部機構を併せて表した平面図である。
【図６】混合器の拡大断面図である。
【図７】第１フィルターカートリッジの中央縦断面図である。
【図８】第１フィルターカートリッジの平面図である。
【図９】第２フィルターカートリッジの中央縦断面図である。
【図１０】第２フィルターカートリッジの平面図である。
【図１１】第１フィルターカートリッジの底部と本体ケースにおける基台上面との部分拡大断面図である。
【図１２】摺動板の平面図である。
【図１３】摺動板の底面図である。
【図１４】本発明の設置説明図である。
【符号の説明】
１  本体ケース
２  モイスチャー液等充填容器の蓋付装填室
３  支持枠
４  基台
５  上部カバー
７，８，９  通水路
１６  モイスチャー液等充填容器
１７  給送ポンプ
１７ｃ  押圧操作部材
１８  第１フィルターカートリッジ
１９  流入口
２０  流出口
２１  繊維状活性炭
２２  通水筒
２６  ガイド突条
２７  ガイド溝
２８  第２フィルターカートリッジ
２９  流入口
３０  流出口
３１  麦飯石セラミックス
３２  珊瑚セラミックス
３３  チタンボール
３４  磁石
３５  ハードセラミックス
３６  遠赤外線セラミックス
３７  マイナスイオンセラミックス
３８  トルマリンセラミックス
３９  通水筒
４４  仕切り板
４５  通水小孔
４６  通水筒
４７  切替コック付分岐管
４８  切替コック
４９  浴槽側への流出口
５１  混合器
５５  流出口
５７，５８  離脱手段
６１  摺動板
６１ａ  突き上げ片
６２  細長い切欠部
６３  三角状の突起部
６６  長孔
【図１】
0003723915.tif 000002
【図２】
0003723915.tif 000003
【図３】
0003723915.tif 000004
【図４】
0003723915.tif 000005
【図５】
0003723915.tif 000006
【図６】
0003723915.tif 000007
【図７】
0003723915.tif 000008
【図８】
0003723915.tif 000009
【図９】
0003723915.tif 000010
【図１０】
0003723915.tif 000011
【図１１】
0003723915.tif 000012
【図１２】
0003723915.tif 000013
【図１３】
0003723915.tif 000014
【図１４】
0003723915.tif 000015